(57)【要約】【課題】ＤＭＤ（デジタル・マイクロミラー・デバイス）の反射光が回折してできた回折光を、記録媒体の記録容量の減少および情報光を利用できる効率の低下を抑制しながら処理する。【解決手段】ミラー３８から空間変調器４０に入射されてきた光を、真上（シャッター４２の方）に反射させる光っているミラー（真上から見て）４１０ａによりＯＮを表し、右斜め上に反射させる光っていないミラー４１０ｂによりＯＦＦを表す。このとき、ダイ４２０の法線４２０ｎと、ＯＮの時の反射方向（真上）とは異なっており、その差異は、ＯＮの時の反射光の回折したものの一部がＯＮの時の反射光と進行方向が一致するようになっている。これにより、光軸付近を通る情報を表す反射光の強度を高めることができる。【選択図】　図３
2004139007.tif 000002
【特許請求の範囲】
【請求項１】
入射光を反射するミラーおよび前記ミラーを支持するダイを有し、前記入射光が反射した反射光の進行方向により情報を表現する情報表現手段と、
前記情報表現手段から情報光を取得する情報光取得手段と、
前記情報光取得手段から取得した前記情報光を参照光と干渉させ、光情報記録媒体にホログラフィを形成するホログラフィ形成手段と、
を備え、
前記情報表現手段は、
前記反射光の進行方向と前記ダイの法線の方向とが異なっており、前記反射光が回折した回折光の少なくとも一部の進行方向と前記反射光の進行方向とが一致するようになっている、
光情報記録装置。
【請求項２】
請求項１に記載の光情報記録装置であって、
前記情報光取得手段は、
前記情報光から、前記回折光であってその進行方向が前記反射光の進行方向と一致していないものの少なくとも一部を除去する回折光除去手段を有する、
光情報記録装置。
【請求項３】
請求項１に記載の光情報記録装置であって、
前記情報表現手段は、前記入射光と前記反射光の進行方向が一致する、
光情報記録装置。
【請求項４】
入射光を反射するミラーおよび前記ミラーを支持するダイを有し、前記入射光が反射した反射光の進行方向により情報を表現する情報表現手段と、
前記情報表現手段から情報光を取得する情報光取得手段と、
前記情報光取得手段から取得した前記情報光を記録用参照光と干渉させ、光情報記録媒体にホログラフィを形成するホログラフィ形成手段と、
前記ホログラフィに再生用参照光を照射する再生用参照光照射手段と、
前記再生用参照光の照射により前記ホログラフィから出射される再生光を取得する再生光取得手段と、
前記再生光から情報を再生する情報再生手段と、
を備え、
前記情報表現手段は、
前記反射光の進行方向と前記ダイの法線の方向とが異なっており、前記反射光が回折した回折光の少なくとも一部の進行方向と前記反射光の進行方向とが一致するようになっている、
光情報記録再生装置。
【発明の詳細な説明】
【０００１】
【発明の属する技術分野】
本発明は、空間光変調器としてＤＭＤ（デジタル・マイクロミラー・デバイス）を使用した場合に、ＤＭＤから反射されてきた光の回折光の処理に関する。
【０００２】
【従来の技術】
ホログラフィを利用して記録媒体に情報を記録するホログラフィック記録は、一般的に、イメージ情報を持った情報光と参照光とを記録媒体の内部で重ね合わせ、そのときにできる干渉縞を記録媒体に書き込むことによって行われる。記録された情報の再生時には、その記録媒体に参照光を照射することにより、干渉縞による回折によりイメージ情報が再生される。
【０００３】
イメージ情報を持った情報光を生成するためには、光強度によって光を空間的に変調する。例えば、特許文献１にホログラフィック記録および光の変調についての記載がある。特許文献１によれば、光の変調には液晶素子を用いることができるとある。
【０００４】
【特許文献１】
特開平１１−３１１９３８号公報（段落番号００２４）
【発明が解決しようとする課題】
ここで、光を空間的に変調するための素子として、ＤＭＤ（デジタル・マイクロミラー・デバイス）を使用することも考えられる。ＤＭＤは、入射した光を画素ごとに反射方向を変えて反射することができる。
【０００５】
しかしながら、ＤＭＤは、周期構造を持った微小なミラーの集合体であるため、一種の回折格子を形成してしまう。よって、ＤＭＤからは、冗長な回折光も出射されてしまう。このような回折光をも情報光として使用すれば、情報を記録するために要するホログラフィが大きくなりすぎ、記録媒体の記録容量が減少する。そこで、回折光を遮断すれば、ホログラフィが大きくなりすぎることを防止できる。しかし、光を遮断するので、情報光が暗くなり、情報光を利用できる効率が低くなる。
【０００６】
このように、光を空間的に変調するための素子として、ＤＭＤを使用した場合、反射光が回折してできた回折光の処理に困ることになる。
【０００７】
そこで、本発明は、ＤＭＤ（デジタル・マイクロミラー・デバイス）の反射光が回折してできた回折光を、記録媒体の記録容量の減少および情報光を利用できる効率の低下を抑制しながら処理することを課題とする。
【０００８】
【課題を解決するための手段】
請求項１に記載の発明は、入射光を反射するミラーおよびミラーを支持するダイを有し、入射光が反射した反射光の進行方向により情報を表現する情報表現手段と、情報表現手段から情報光を取得する情報光取得手段と、情報光取得手段から取得した情報光を参照光と干渉させ、光情報記録媒体にホログラフィを形成するホログラフィ形成手段とを備え、情報表現手段は、反射光の進行方向とダイの法線の方向とが異なっており、反射光が回折した回折光の少なくとも一部の進行方向と反射光の進行方向とが一致するようになっているように構成される。
【０００９】
上記のように構成された発明によれば、情報光は反射光の集合体であり、回折光は不要な存在である。しかし、あえて不要な回折光の一部と反射光との進行方向を一致させることで、情報光の強度を向上させることができる。
【００１０】
請求項２に記載の発明は、請求項１に記載の発明であって、情報光取得手段は、情報光から、回折光であってその進行方向が反射光の進行方向と一致していないものの少なくとも一部を除去する回折光除去手段を有するように構成される。
【００１１】
上記のように構成された発明によれば、回折光であってその進行方向が反射光の進行方向と一致していないものが情報光から除去されるため、ホログラフィが大きくなりすぎない。しかも、情報光の強度が向上しているので、回折光の一部を除去しても、情報光の利用効率の低下を抑制できる。
【００１２】
請求項３に記載の発明は、請求項１に記載の発明であって、情報表現手段は、入射光と反射光の進行方向が一致するように構成される。
【００１３】
上記のように構成された発明によれば、入射光と反射光の進行方向が異なるものよりも、情報光の強度をさらに向上させることができる。
【００１４】
請求項４に記載の発明は、入射光を反射するミラーおよびミラーを支持するダイを有し、入射光が反射した反射光の進行方向により情報を表現する情報表現手段と、情報表現手段から情報光を取得する情報光取得手段と、情報光取得手段から取得した情報光を記録用参照光と干渉させ、光情報記録媒体にホログラフィを形成するホログラフィ形成手段と、ホログラフィに再生用参照光を照射する再生用参照光照射手段と、再生用参照光の照射によりホログラフィから出射される再生光を取得する再生光取得手段と、再生光から情報を再生する情報再生手段とを備え、情報表現手段は、反射光の進行方向とダイの法線の方向とが異なっており、反射光が回折した回折光の少なくとも一部の進行方向と反射光の進行方向とが一致するようになっているように構成される。
【００１５】
【発明の実施の形態】
以下、本発明の実施の形態を図面を参照しながら説明する。
【００１６】
図１は、本発明の実施形態に係る光情報記録再生装置の構成を示す説明図である。なお、光情報記録再生装置は、光情報記録装置と光情報再生装置とを含んでいる。また、本発明の実施形態では光情報記録媒体として円盤状の光ディスクを用いているが、カード状の記録媒体を用いることができる。さらに、光情報記録再生装置はピックアップ１１を有する。
【００１７】
光情報記録媒体の構成
始めに、図１を参照して、本発明の実施形態における光情報記録媒体の構成について説明する。この光情報記録媒体１は、ポリカーボネート等によって形成された円板状の透明基板２の一面に、ボリュームホログラフィを利用して情報が記録される情報記録層としてのホログラム記録層３と、反射膜５と、基板（保護層）８とを、この順番で積層して構成されている。
【００１８】
ホログラム記録層３は、光が照射されたときに光の強度に応じて屈折率、誘電率、反射率等の光学的特性が変化するホログラム材料によって形成されている。ホログラム材料としては、例えば、デュポン（Ｄｕｐｏｎｔ）社製フォトポリマ（ｐｈｏｔｏｐｏｌｙｍｅｒｓ）ＨＲＦ−６００（製品名）等が使用される。
【００１９】
反射膜５は、光（再生用参照光など）を反射する膜である。反射膜５は、例えばアルミニウムによって形成されている。
【００２０】
基板（保護層）８は、例えば、インジェクションで作成されたアドレス付基板である。基板（保護層）８には、図示省略したアドレス・サーボエリアおよびデータエリアが設けられている。アドレス・サーボエリアを使用して、光情報記録媒体１への光の照射位置をサーボ制御できる。データエリアには、光情報記録媒体１に記録させる情報をホログラフィの形式で書き込める。
【００２１】
ピックアップの構成
ピックアップ１１は、参照光および情報光を光情報記録媒体１に照射し、光情報記録媒体１からの再生光を受けるためのものである。ピックアップ１１は、対物レンズ１２、アクチュエータ１３、四分の一波長板１４、ハーフミラー２６、レンズ２７ａ、ｂ、光検出器２８、レーザ光源３２、コリメータレンズ３４、二分の一波長板３５、偏光ビームスプリッタ３６、ミラー３８、空間光変調器（情報表現手段）４０、シャッター４２、レンズ４４ａ、ｂ、絞り４６、二分の一波長板４８、ハーフミラー５０、ミラー５２、ミラー５４、レンズ５６を備える。
【００２２】
なお、情報光とは、記録したい情報を担持した光である。図１においては、情報光は、レーザ光源３２が生成したレーザ光を、空間光変調器４０により変調したものであり、光情報記録媒体１に照射される。また、参照光には、情報光と干渉させホログラフィを形成するための記録用参照光およびホログラフィから情報を再生するための再生用参照光がある。さらに、再生光とは、光情報記録媒体１に再生用参照光を入射した場合に、光情報記録媒体１からピックアップ１１に戻る光をいう。再生光は、光情報記録媒体１から再生された情報を担持したものとなる。
【００２３】
対物レンズ１２は、光情報記録媒体１の透明基板２側に位置するものである。参照光および情報光は、対物レンズ１２を透過して、光情報記録媒体１に入射する。光情報記録媒体１からの再生光は、対物レンズ１２を透過して、ハーフミラー２６に向かって進行する。
【００２４】
アクチュエータ１３は、対物レンズ１２を光情報記録媒体１の厚み方向および半径方向に移動するためのものである。
【００２５】
四分の一波長板１４は、Ｐ偏光やＳ偏光のように直線偏光の光が入射し、その直線偏光の方位が四分の一波長板１４における結晶の光学軸に対してなす角度が４５度のとき、通過光を直線偏光から円偏光の光にするものである。情報光はＰ偏光であり、四分の一波長板１４を通過すると円偏光となり、光情報記録媒体１に入射される。再生光は円偏光であるが、四分の一波長板１４を通過するとＳ偏光となり、レンズ２７ａ、ｂを介して光検出器２８に到達する。
【００２６】
ハーフミラー２６は、情報光を透過させて四分の一波長板１４に向かって進行させ、再生光を反射してレンズ２７ａ、ｂに向かって進行させる。レンズ２７ａ、ｂは、ハーフミラー２６から再生光を受けて、光検出器２８に入射させる。光検出器２８は、再生光を受けて検出する。これにより、光情報記録媒体１に記録された情報を再生できる。
【００２７】
レーザ光源３２は、レーザ光を生成する。このレーザ光は、情報光および参照光の基となる。コリメータレンズ３４は、レーザ光源３２からレーザ光を受けて、平行光線にする。二分の一波長板３５は、コリメータレンズ３４から平行光線を受け、Ｐ偏光およびＳ偏光とする。偏光ビームスプリッタ３６は、二分の一波長板３５からＰ偏光およびＳ偏光を受け、Ｐ偏光は透過させ、Ｓ偏光は反射する。透過したＰ偏光はミラー３８へ向かい、反射したＳ偏光はレンズ４４ａに向かう。このＰ偏光が情報光の基となり、Ｓ偏光が参照光の基となる。ミラー３８は、Ｐ偏光を受けて、空間光変調器４０に向けて反射する。
【００２８】
空間光変調器（情報表現手段）４０は、ミラー３８からＰ偏光を受けて反射することにより、情報光を生成する。生成された情報光は、シャッター４２および偏光ビームスプリッタ３６を透過して、レンズ４４ａに向かう。なお、空間光変調器４０は、後述するように、ＤＭＤ（デジタル・マイクロミラー・デバイス）を使用する。このため、空間光変調器４０からは、情報光のみならず、反射光が回折した回折光も出射される。なお、ＤＭＤは、入射した光を反射する方向により情報を表現できる。すなわち、入射光を空間的に変調できる。
【００２９】
シャッター４２は、光情報記録媒体１に情報を記録するときは開いており、光情報記録媒体１から情報を再生するときは閉じる（図２参照）。レンズ４４ａは、空間光変調器４０から回折光（情報光）を受け、絞り４６の上に像を結ぶ。このとき、回折光（情報光）および回折光の内でも光軸に近いものは、絞り４６の穴４６ａを通過する。しかし、回折光の内でも光軸から遠いものは、絞り４６を通過できない。なお、レンズ４４ａと絞り４６との距離＝レンズ４４ｂと絞り４６との距離＝空間光変調器４０からレンズ４４ａまでの距離＝レンズ４４ｂからミラー５２までの距離＝ｆ＝焦点距離である。二分の一波長板４８は、偏光ビームスプリッタ３６により反射されたＳ偏光をＰ偏光にする。これが、参照光となる。
【００３０】
ハーフミラー５０は、情報光を反射し、ハーフミラー２６へ進行させる。また、参照光を透過し、ミラー５２に向けて進行させる。ミラー５２は、光情報記録媒体１と向かい合うミラー５４に向けて参照光を反射させる。ミラー５４は参照光を反射して、レンズ５６に進行させる。レンズ５６は、参照光を光情報記録媒体１よりも前で焦点を結ばせるようにして屈折させる。
【００３１】
光情報の記録および再生の動作
情報を光情報記録媒体１に記録する場合には、レーザ光源３２が生成したレーザ光が、コリメータレンズ３４、二分の一波長板３５、偏光ビームスプリッタ３６を透過し、ミラー３８により反射されて、空間光変調器４０に向かう。そして、空間光変調器４０によりレーザ光が情報光となり、シャッター４２、偏光ビームスプリッタ３６、レンズ４４ａ、絞り４６、レンズ４４ｂ、二分の一波長板４８を通過し、ハーフミラー５０で反射され、四分の一波長板１４を透過し、対物レンズ１２に向かう。空間光変調器４０から対物レンズ１２までの光学要素（レンズ４４ａ、絞り４６、レンズ４４ｂ、二分の一波長板４８、ハーフミラー５０など）が、空間光変調器４０から情報光を取得する情報光取得手段に相当する。
【００３２】
また、レーザ光源３２が生成したレーザ光が、コリメータレンズ３４、二分の一波長板３５を透過し、偏光ビームスプリッタ３６で反射され記録用参照光となる。記録用参照光は、レンズ４４ａ、絞り４６、レンズ４４ｂ、二分の一波長板４８、ハーフミラー５０を通過し、ミラー５２、５４で反射され、レンズ５６により屈折しながら、対物レンズ１２に向かう。
【００３３】
対物レンズ（ホログラフィ形成手段）１２は、情報光および記録用参照光を光情報記録媒体１のホログラム記録層３において干渉させ、ホログラフィを形成させる。
【００３４】
光情報記録媒体１から情報を再生する場合には、図２を参照して、レーザ光源３２が生成したレーザ光が、コリメータレンズ３４、二分の一波長板３５を透過し、偏光ビームスプリッタ３６で反射され再生用参照光となる。再生用参照光は、レンズ４４ａ、絞り４６、レンズ４４ｂ、二分の一波長板４８、ハーフミラー５０を通過し、ミラー５２、５４で反射され、レンズ５６により屈折しながら、対物レンズ１２に向かう。
【００３５】
対物レンズ（再生用参照光照射手段）１２は、再生用参照光を屈折させ、ホログラム記録層３に照射する。これにより、光情報記録媒体１のホログラム記録層３から再生対象の情報を担持した再生光が生じる。再生光は、対物レンズ１２、四分の一波長板１４を透過し、ハーフミラー２６により反射され、レンズ２７ａ、ｂを透過してから、光検出器２８に与えられる。光検出器２８は再生光を入射光として受けて検出し、情報を取得する。対物レンズ１２、四分の一波長板１４、ハーフミラー２６、レンズ２７ａ、ｂが再生光を取得する再生光取得手段に相当する。光検出器２８は、再生光を受けて情報を再生する情報再生手段に相当する。光検出器２８は、例えばＣＭＯＳセンサあるいはＣＣＤアレイセンサである。
【００３６】
本発明の実施形態の特徴的な部分は、空間光変調器（情報表現手段）４０およびレンズ４４ａ、ｂ、絞り４６の構造にあり、以下、空間光変調器４０およびレンズ４４ａ、ｂ、絞り４６について説明する。
【００３７】
図３は、空間光変調器４０の平面図（図３（ａ））、断面図（図３（ｂ））である。空間光変調器４０は、ＤＭＤ（デジタル・マイクロミラー・デバイス）である。空間光変調器４０は、ミラー３８から入射された光を反射する微小なミラー４１０およびミラー４１０を支持するダイ４２０を有する。図３（ａ）を参照して、空間光変調器４０をシャッター４２の側から見ると、ミラー４１０のなかでも、光っているミラー４１０ａと光っていないミラー４１０ｂとに分かれる。これは、ミラー４１０の、入射された光に対する角度を異ならせているからである。図３（ｂ）を参照して、光っているミラー４１０ａは反射光が真上（シャッター４２の方）へ進行するように傾斜している一方で、光っていないミラー４１０ｂは反射光が真上には進行しないように傾斜角が設定されている。ここで、光っているミラー４１０ａをＯＮ（あるいは“１”）に、光っていないミラー４１０ｂをＯＦＦ（あるいは“０”）に割り当てれば、ミラー４１０ごとに１ビットの情報を、空間光変調器４０の反射光に持たせることができる。これにより、レーザ光源３２からのレーザ光を空間的に変調することができる。なお、ダイ４２０の法線４２０ｎの方向は、光っているミラー４１０ａの反射光の進行方向（シャッター４２の方）と異なっている。この方向の差異は、光っているミラー４１０ａの反射光の進行方向と、この反射光が回折した回折光の内の一部（例えば、−１１次成分）の進行方向とが一致するように定められている。決定法については後述する。
【００３８】
図４は、ミラー４１０の傾斜角を決定する機構を示す図である。ミラー４１０は、中央部分を中央柱４３０（高さｈ０）で、左端を左側柱４３２（高さｈ１）で支えられている。ＯＮを表現する場合は、左側柱４３２を低く（ｈ１＜ｈ０）して、ミラー４１０を左側に傾斜させる。また、ＯＦＦを表現する場合は、左側柱４３２を中央柱４３０と同じ高さ（ｈ１＝ｈ０）にして、ミラー４１０を水平にする。ただし、左側柱４３２を中央柱４３０よりも高くし（ｈ１＞ｈ０）、ミラー４１０を右に傾斜させてもよい。
【００３９】
図５は、ミラー４１０の傾斜角およびダイ４２０の法線４２０ｎの方向の決定法を説明するための図である。
【００４０】
光っているミラー４１０ａはダイ４２０に対して角度φだけ傾斜している。すると、ダイ４２０の法線４２０ｎと、光っているミラー４１０ａの法線４１０ｎとなす角度もまたφである。また、ミラー３８から入射する光の、法線４１０ｎとなす角度をθとする。シャッター４２に向けて反射する光の、法線４１０ｎとなす角度もまたθとなる。ここで、ミラー３８から入射する光の法線４２０ｎとなす角度をα、シャッター４２に向けて反射する光の法線４２０ｎとなす角度をβとする。すると、シャッター４２に向けて反射する光と、法線４２０ｎとのなす角度はβとなる。
【００４１】
ここで、上述したように、光っているミラー４１０ａの反射光の進行方向と、この反射光が回折した回折光の内の一部（例えば、−１１次成分）の進行方向とが一致するようにφ等を定めなければならない。このようにすれば、光軸付近を通る反射光の強度を高くし、レーザ光源３２の生成するレーザ光の内、情報光として利用できるものの割合（利用効率）を高めることができる。
【００４２】
空間光変調器４０は周期構造を持った微小なミラー４１０の集合体であり、回折格子として機能する。よって、反射光が回折して強め合うための条件は、
ｄ（ｓｉｎα＋ｓｉｎβ）＝ｎλ
として表される。ただし、λ＝入射光の波長、ｎ＝回折光の次数、ｄ＝ミラー４１０の長さ×ｃｏｓφ＝ピッチである。
【００４３】
また、図５を参照して（ただし、反時計回りを正とする）、
α−β＝２θ
α＝θ＋φ
β＝−θ＋φ
となる。
【００４４】
さらに、
ｓｉｎα＋ｓｉｎβ＝２ｓｉｎ（（α＋β）／２）ｃｏｓ（（α−β）／２）
である。
【００４５】
よって、
2004139007.tif 000003
である。
【００４６】
一般的に、回折光の次数ｎ、入射光の波長λ、ピッチｄ、ミラー３８から入射する光の法線４１０ｎとなす角度θは所与のものであるため、角度φを決定できる。
【００４７】
例えば、ｎ＝−１１、λ＝５３２ｎｍ、ｄ＝１３．７μｍ、θ＝０（θ＝０の時が、そうでないときに比べて、情報光の利用効率が高い）とすると、φ＝１２．３度となる。
【００４８】
このときの、光っているミラー４１０ａ、ダイ４２０、入射光、反射光の位置関係を図６（ａ）に、光っていないミラー４１０ｂとダイ４２０等との位置関係を図６（ｂ）に示す。
【００４９】
図６（ａ）に示すように、ＯＮの場合は、入射光と反射光の進行方向が一致している（θ＝０）。この時が、情報光の利用効率が高い。なお、図６（ｂ）に示すように、ＯＦＦの場合は、光っていないミラー４１０ｂを右に傾斜させれば、反射光は右に向かって進行するため、シャッター４２の方へは進行しない。
【００５０】
図７は、レンズ４４ａ、ｂおよび絞り４６の構成を示す図である。レンズ４４ａと絞り４６との距離ｆは、空間変調器４０の反射光たる回折光（情報光）および情報光と進行方向が一致する回折光の焦点が、絞り４６の穴４６ａになるように決められている。よって、情報光等は絞り４６を通過できる。しかし、その他の次数の回折光は、焦点が穴４６ａの内に無い。よって、絞り４６を通過できない。よって、不要な次数の回折光を、レンズ４４ａおよび絞り４６によって除去できる。これらが、回折光除去手段に相当する。
【００５１】
本発明の実施形態によれば、情報光は空間変調器４０の反射光の集合体であり、光軸から遠い次数の回折光は不要な存在である。ミラー面による光の反射方向と、ある回折次数の回折方向を一致させることで、光軸付近の情報光の強度を向上させることができる。
【００５２】
つまり、入射光と反射光の進行方向を一致させれば、入射光と反射光の進行方向が異なるものよりも、情報光の強度をさらに向上することができる。従って、回折光であって、その進行方向が反射光の進行方向と一致していない回折光（ｎ次以外のｎ−１次、ｎ＋１次等）が情報光から除去されるためホログラムが大きくなり過ぎなくて済むのである。しかも、情報光の強度が向上しているので、回折光の一部を除去しても情報光の利用効率の低下を抑制することもできる。
【００５３】
以上、本発明の構成および動作をその原理と実施の形態に基づいて説明してきたが、本発明は上記実施の形態に限定されず、発明の本旨を逸脱しない範囲において、様々な変形が可能である。
【図面の簡単な説明】
【図１】本発明の実施形態に係る光情報記録再生装置の構成を示す説明図である。
【図２】光情報記録媒体１から情報を再生する場合の光情報記録再生装置の動作を示す説明図である。
【図３】空間光変調器４０の平面図（図３（ａ））、断面図（図３（ｂ））である。
【図４】ミラー４１０の傾斜角を決定する機構を示す図である。
【図５】ミラー４１０の傾斜角およびダイ４２０の法線４２０ｎの方向の決定法を説明するための図である。
【図６】光っているミラー４１０ａの位置（図６（ａ））、光っていないミラー４１０ｂの位置（図６（ｂ））に示す図である。
【図７】レンズ４４ａ、ｂおよび絞り４６の構成を示す図である。
【符号の説明】
１　光情報記録媒体
３　ホログラム記録層
１２　対物レンズ
１４　四分の一波長板
２６　ハーフミラー
２７ａ、ｂ　レンズ
２８　光検出器
３２　レーザ光源
４０　空間光変調器（情報表現手段）
４１０　ミラー
４１０ａ　光っているミラー
４１０ｂ　光っていないミラー
４２０　ダイ
４４ａ、ｂ　レンズ
４６　絞り
【図１】
2004139007.tif 000004
【図２】
2004139007.tif 000005
【図３】
2004139007.tif 000006
【図４】
2004139007.tif 000007
【図５】
2004139007.tif 000008
【図６】
2004139007.tif 000009
【図７】
2004139007.tif 000010